(57)【特許請求の範囲】
【請求項１】
軒樋の両上縁耳部を吊架する軒樋吊部と該軒樋吊部を支承し且つ鼻板に固設される座板部とからなる軒樋支持具を構成し、該座板部を鼻板にスペーサを介して固設する軒樋支持具装置において、上記スペーサを上下に分離可能な分離用薄肉溝を該スペーサに形成するとともに、該スペーサの裏面にその上下方向に厚みが変化する傾斜面を形成し、該スペーサの正面の縦方向両側部に前記座板部の両側部を弾性挟持する係合リブを立設し、前記座板部を係合リブで上下動自在に弾性挟持した状態で該軒樋支持具を、スペーサを介して鼻板に固設したことを特徴とする軒樋支持具装置。
【請求項２】
上記スペーサを上下に分離可能な分離用薄肉溝を複数個形成すると共に、該分離用薄肉溝の選択された任意の一つを切断することによって分離されたスペーサの上下方向の長さを調節できる請求項１記載の軒樋支持具装置。
【請求項３】
上記スペーサ内に上下方向に長い長孔を形成すると共に、上記分離用薄肉溝を該長孔に連通させた請求項１記載の軒樋支持具装置。
【発明の詳細な説明】
【技術分野】
【０００１】
本願発明は、傾斜した鼻板にも垂直な鼻板にも取り付けることができる軒樋支持具装置に係り、特に、軒樋支持具と鼻板との間に介装されるスペーサに工夫を加えた軒樋支持具装置に関するものである。
【背景技術】
【０００２】
従来、軒樋支持具は垂直に設けられた鼻板に取り付けられるのが一般的であり、軒樋の両上縁耳部を吊架する軒樋吊部と該軒樋吊部を支承し且つ鼻板に固設される座板部とからなる軒樋支持具は、該座板部を鼻板に固設した状態で軒樋の両上縁耳部を吊架したとき、軒樋が前後方向に傾かず水平方向になるよう設計されている。しかし、従来、鼻板の前面（固設面）が垂直ではなく下向き又は上向きの傾斜面となった鼻板構造が存在していた。このような傾斜面を有する鼻板に軒樋支持具を固設する場合は、特開平０８−２１８５７３号公報に開示されている如く、軒樋支持具の座板部と鼻板の該傾斜面との間に角度調整部材を介装して軒樋支持具を取り付けることにより、軒樋が正常な位置に設置されるよう調整していた。
【特許文献１】特開平０８−２１８５７３号公報
【発明の開示】
【発明が解決しようとする課題】
【０００３】
しかしながら、上記従来例である軒樋取付構造は、くさび型の角度調整部材が軒樋支持具とは別の部品であるから、該角度調整部材と軒樋支持具とを同時に鼻板に効率よく固設するには多くの経験を必要とした。特に、軒樋に水勾配を付ける為には隣接する軒樋支持具を少しづつ下方にずらして固設しなければならず、従って、傾斜面を有する鼻板に軒樋支持具を角度調整部材とともに固設する作業は面倒であった。
【０００４】
また、該鼻板に固設する軒樋支持具の座板部は、軒樋の種類や大きさによってその上下方向の寸法が異なるので、該角度調整部材を軒樋支持具の寸法形状に合わせて多種類在庫しておく必要があった。
【０００５】
本願発明は、上記背景技術に鑑みてなしたものであり、その目的は、軒樋支持具と鼻板との間に介装されるスペーサに工夫を加えることにより、軒樋支持具の鼻板への固設作業を容易にし、且つ、座板部の寸法形状が異なる軒樋支持具に対して一つのスペーサで対応できる軒樋支持具装置を提供することにある。
【課題を解決するための手段】
【０００６】
上記課題を解決するために、本願請求項１記載の軒樋支持具装置は、軒樋の両上縁耳部を吊架する軒樋吊部と該軒樋吊部を支承し且つ鼻板に固設される座板部とからなる軒樋支持具を構成し、該座板部を鼻板にスペーサを介して固設する軒樋支持具装置において、上記スペーサを上下に分離可能な分離用薄肉溝を該スペーサに形成するとともに、該スペーサの裏面にその上下方向に厚みが変化する傾斜面を形成し、該スペーサの正面の縦方向両側部に前記座板部の両側部を弾性挟持する係合リブを立設し、前記座板部を係合リブで上下動自在に弾性挟持した状態で該軒樋支持具を、スペーサを介して鼻板に固設したことを特徴としている。
【０００７】
本願請求項２記載の発明は、上記請求項１記載の軒樋支持具装置において、上記スペーサを上下に分離可能な分離用薄肉溝を複数個形成すると共に、該分離用薄肉溝の選択された任意の一つを切断することによって分離されたスペーサの上下方向の長さを調節できることを特徴としている。
【０００８】
本願請求項３記載の発明は、上記請求項１記載の軒樋支持具装置において、上記スペーサ内に上下方向に長い長孔を形成すると共に、上記分離用薄肉溝を該長孔に連通させた上記スペーサを上下に分離可能な分離用薄肉溝を複数個形成することを特徴としている。
【発明の効果】
【００１０】
本願請求項１記載の軒樋支持具装置においては、軒樋支持具と鼻板との間に介装するスペーサはその裏面に傾斜面が形成されているから、鼻板の傾斜面が上向き及び下向きのいずれの場合でも、スペーサの上下を逆にすることにより、軒樋支持具を所望の角度に調節して固設することができると共に、スペーサに形成した係合リブで軒樋支持具の座板部を上下動自在に弾性挟持できるから、座板部とスペーサとを弾性接触させた状態で当該両者の相対位置を簡単に微調整することができる。特に、上記スペーサに上下に分離可能な分離用薄肉溝を形成しているから、軒樋支持具の座板部の上下方向の寸法が大きいときは該スペーサを分離することなくそのまま座板部と鼻板との間に介装使用でき、軒樋支持具の座板部の上下方向の寸法が短いときは、分離用薄肉溝を境目としてスペーサを上下に切り離して分離し、そのいずれか一方のスペーサ分離片を使用することができる。上下方向の寸法が短い座板部に、分離されていないスペーサをそのまま使用する場合には該スペーサの下方が座板部から露出するので見栄えが悪いが、当該座板部にスペーサ分離片を使用すれば座板部の裏面にスペーサ分離片を殆ど隠すことができ軒樋支持具の固設部の外観体裁がよくなる。
【００１１】
また、軒樋支持具とスペーサとは弾接接触したままで同時に鼻板に固設することができるから、軒樋支持具の固設作業が容易となり、且つ、軒樋支持具の固設位置を一層正確に決定できる。
【００１２】
本願請求項２記載の軒樋支持具装置は、上記構成であり、特に、スペーサを上下に分離可能な分離用薄肉溝を複数個形成しているから、所望する分離用薄肉溝から切断すること
により、スペーサの上下方向の長さを軒樋支持具の座板部の上下方向の長さに合わせることができ、従って、一つのスペーサで複数種類の軒樋支持具に対応できる。
【００１４】
本願請求項３記載の軒樋支持具装置は、上記構成であり、特に、スペーサ３内に上下方向に長い長孔を形成しているから、軒樋支持具を鼻板にスペーサを介装して固設するとき長孔を貫通した固設ビス等を鼻板にねじ込むことができると共に、軒樋支持具とスペーサとの上下方向の相対位置を簡単に調節できる。
【００１６】
また、分離用薄肉溝を境にしてスペーサを上下に分離するとき、分離用薄肉溝は該長孔に連通しているから、分離用薄肉溝の全長が短くなりスペーサを切断分離しやすいという効果がある。
【発明を実施するための最良の形態】
【００１７】
以下、本願発明の軒樋支持具装置について図面を参照して詳細に説明する。図１は本願発明に係る軒樋支持具装置を鼻板に固設した状態を示す側面図、図２は図１に示した軒樋支持具の固設状態を上方から見た平面図、図３は軒樋支持具の斜視図である。同図において、１は軒樋、２は軒樋支持具であって該軒樋支持具２は軒樋１の両上縁耳部１１、１１を吊架する軒樋吊部２１と該軒樋吊部２１の奥端部に直交して一体に設けられた座板部２２とからなりポリカーボネート等の合成樹脂で成形される。３は合成樹脂からなるスペーサであって座板部２２と鼻板４との間に介装されるとともに軒樋支持具２と同時に鼻板４に固設されている。また、スペーサ３に形成した係合リブ３２、３２が座板部２２の両側部を弾性挟持している。
【００１８】
図１に示した鼻板４は軒５の下面から垂下した状態で設けられているが、鼻板４の前面４１はやや下向きに傾斜している。従って、軒樋１が前後方向に傾斜しないよう、或いは予め設定された取り付け状態となるようくさび形のスペーサ３を介して軒樋支持具２の座板部２２が鼻板４に固設されている。
【００１９】
図４は上記スペーサ３の一部切欠斜視図であり該スペーサ３は第一の実施形態を示している。図５は上記スペーサの背面図である。同図に示すように、スペーサ３は下方に向かってその厚みｔが徐々に厚くなっており、従って、上記座板部２２側のスペーサ３の正面３６に対してその裏面は傾斜面３１となっている。即ち、スペーサ３はくさび形となっている。スペーサ３の正面３６の縦方向両側部に係合リブ３２、３２を立設されている。該係合リブ３２は正面３６からの高さが一定となっている。上記の如く軒樋支持具２が鼻板４に固設されたとき座板部２２の縦方向両側縁部は係合リブ３２、３２で上下動自在に弾性挟持された状態となっている。勿論固設状態では座板部２２とスペーサ３とは相対移動ができない。
【００２０】
図４、図５に示す如く、スペーサ３には両側近傍に長い長孔３４が形成され、中央部の上下近傍に短い長孔３４されている。上下近傍の短い長孔３４、３４と両側近傍の長い長孔３４、３４との間は、断面Ｖ字形の分離用薄肉溝３３が形成され、且つ、それぞれの長い長孔３４、３４の中央部近傍からはスペーサ３の両側外方に向かって分離用薄肉溝３３、３３が形成されている。それぞれの係合リブ３２、３２の中央部には切欠部３７、３７が形成されており、該切欠部３７の底部に分離用薄肉溝３３が形成されている。該分離用薄肉溝３３はスペーサ３を所望の位置で、容易に、分離可能とするものである。
【００２１】
スペーサ３に形成した長孔３４は、軒樋支持具２を鼻板４にスペーサ３を介装して固設するとき、固設ビス等（図示せず）を該長孔３４を貫通させて鼻板４にねじ込むことができる。また、軒樋支持具２とスペーサ３との上下方向の相対位置を調節するとき、固設ビス等を長孔３４内で上下に移動させることにより簡単に調節できる。当該相対位置の調節は軒樋１に水勾配を付けるとき、有効に活用される。また、分離用薄肉溝３３を境にしてスペーサ３を上下に切断分離するとき、分離用薄肉溝３３は長孔３４に連通しているから、分離用薄肉溝３３の全長が短くなりスペーサ３を切り離し分離することが容易になっている。
【００２２】
図６は上記スペーサ３を切り離したときのそれぞれのスペーサ分離片３５、３５の背面図である。軒樋支持具２の座板部２２が大きいときは該スペーサを分離することなくそのまま座板部２２と鼻板４との間に介装して使用する。軒樋支持具２の座板部２２の上下方向の長さが短いときは、同図に示す如く、分離用薄肉溝３３を境目としてスペーサ３を上下に分離し、そのいずれか一方のスペーサ分離片３５を使用することにより、例え座板部２２が小さくても該使用されたスペーサ分離片３５を座板部２２に裏面に隠すことができ、従って、体裁を良好に維持できる。
【００２３】
図６の下部に示されているスペーサ分離片３５はその厚みｔが上部に示されているスペーサ分離片３５の厚みよりも大きいので、該下部のスペーサ分離片３５を使用すると軒樋支持具２を鼻板４から一層遠くに固設できる。
【００２４】
また、図１に示した鼻板４はその前面４１がやや下向きに傾斜しているが、鼻板４の前面４１がやや上方に傾斜しているときは、スペーサ４又はスペーサ分離片４１をその上下を逆にして使用すれば軒樋支持具２を所定の姿勢で鼻板４に固設できる。
【００２５】
図７は本願発明に係る軒樋支持具装置の第二の実施形態におけるスペーサ３の平面図である。このスペーサ３には、スペーサ３を上下に分離可能な分離用薄肉溝３３を複数個形成している。従って、該分離用薄肉溝３３の選択された任意の一つを切断することによって分離されたスペーサ３の上下方向の長さを調節できる。故に、このスペーサ３は、座板部２２の上下方向の寸法が異なる多種の軒樋支持具２に対応できる。
【図面の簡単な説明】
【００２６】
【図１】本願発明に係る軒樋支持具装置を鼻板に固設した状態を示す側面図。
【図２】本願発明に係る軒樋支持具装置を鼻板に固設した状態を示す平面図。
【図３】本願発明に係る軒樋支持具装置における軒樋支持具の斜視図。
【図４】本願発明に係る軒樋支持具装置の第一の実施形態におけるスペーサの一部切欠斜視図。
【図５】本願発明に係る軒樋支持具装置の第一の実施形態におけるスペーサの背面図。
【図６】本願発明に係る軒樋支持具装置の第一の実施形態におけるスペーサを切り離したときのそれぞれの分離片の背面図。
【図７】本願発明に係る軒樋支持具装置の第二の実施形態におけるスペーサの背面図。
【符号の説明】
【００２７】
１      軒樋
１１    軒樋の上縁耳部
２      軒樋支持具
２１    軒樋吊部
２２    座板部
３      スペーサ
３１    スペーサ裏面の傾斜面
３２    スペーサの係合リブ
３３    スペーサの分離用薄肉溝
３４    スペーサの長孔
３５    スペーサ分離片
３６    スペーサの正面
３７    係合リブに形成した切欠部
ｔ      スペーサの厚み
４      鼻板
４１    鼻板の前面
５      軒
【図１】
0005119950.tif 000002
【図２】
0005119950.tif 000003
【図３】
0005119950.tif 000004
【図４】
0005119950.tif 000005
【図５】
0005119950.tif 000006
【図６】
0005119950.tif 000007
【図７】
0005119950.tif 000008